(57)【要約】【課題】  デカルの視認が容易で操作性（作業性）に優れた情報処理装置を提供する。【解決手段】  接触検知センサと、シート状蛍光部材とを内蔵したデカル４と、接触検知センサの検知結果によりデカル４のシート状蛍光部材を点灯させて、デカル表示が鮮明になる“デカル類スポットライトモード”の設定操作を行うことができる操作部２とを備えるようにした。【選択図】  図１
2006039064.tif 000002
【特許請求の範囲】
【請求項１】
接触検知手段と点灯手段とが設けられているデカルと、前記接触検知手段の検知結果により前記デカルの点灯手段を点灯させるデカル点灯モードを設定する設定操作が可能な操作手段と、を備えていることを特徴とする情報処理装置。
【請求項２】
請求項１記載の情報処理装置において、あらかじめ登録された各種デカルの位置及び不要な露光を防止したい箇所に基づき不要な光を遮蔽するシャッター動作プログラムを格納した記憶手段と、前記シャッター動作プログラムを実行する制御手段と、を備えていることを特徴とする情報処理装置。
【請求項３】
請求項１記載の情報処理装置において、前記デカル点灯モードは、前記操作手段により設定解除可能であることを特徴とする情報処理装置。
【発明の詳細な説明】
【技術分野】
【０００１】
本発明は、操作効率を向上させるための情報処理装置に関する。
【背景技術】
【０００２】
従来、情報処理装置においては、たとえば、原稿、転写紙のジャムが発生したときにはジャム処理位置やジャム除去手順を示したデカルを見てそれを元にジャム処理操作をしている。
また、原稿や転写紙のセット方法やインクジェット紙、ＯＨＰ紙などの用紙の取扱注意などを示したデカルや、レーザー、高温部に注意を促すデカル、さらには商品名、定格電圧、定格電流を示す定格銘板といったデカル類に注視しながら操作をすることが比較的多い。
従来では、操作説明デカルをはがしやすく構成した電子機器が提案されている（例えば、特許文献１参照）。
【特許文献１】特開平０７−０７２６９２号公報
【発明の開示】
【発明が解決しようとする課題】
【０００３】
しかし、このような表示は機器の比較的下部にあったり、扉の裏側にあったり、また、経時で機器内部の汚れも受け埃にまみれてくることもあったり、または設定内容の多様化を受け表示項目が多く、操作者にとって見にくい小さな文字で表示案内している場合もあり、見にくさから安易に理解して操作時にミスしてしまう場合がある。
このようになるのを防ぐためには何度も目を凝らして見返さなければならず、操作性(作業性)が悪かった。また、上述した従来例に示されるように、操作説明を記したデカルなどをはがしやすく構成している機器などでは、デカルを取り外してそれを注視しながら操作した後、またそのデカルを元に戻すという作業をする場合があるが、その場合も手間がかかり作業性が悪くなるので、目を凝らさなくとも自然に操作できるような情報処理装置が求められている。
本発明は、上述した実情を考慮してなされたもので、デカルの視認が容易で操作性に優れた情報処理装置を提供することを目的とする。
【課題を解決するための手段】
【０００４】
上記目的を達成するために、請求項１記載の発明は、接触検知手段と点灯手段とが設けられているデカルと、前記接触検知手段の検知結果により前記デカルの点灯手段を点灯させるデカル点灯モードを設定する設定操作が可能な操作手段と、を備えていることを特徴とする。
請求項２記載の発明は、請求項１記載の情報処理装置において、あらかじめ登録された各種デカルの位置及び不要な露光を防止したい箇所に基づき不要な光を遮蔽するシャッター動作プログラムを格納した記憶手段と、前記シャッター動作プログラムを実行する実行手段と、を備えていることを特徴とする。
請求項３記載の発明は、請求項１記載の情報処理装置において、前記デカル点灯モードは、前記操作手段により設定解除可能であることを特徴とする。
【発明の効果】
【０００５】
本発明によれば、接触検知手段と点灯手段とが設けられているデカルと、接触検知手段の検知結果によりデカルの点灯手段を点灯させるデカル点灯モードを設定する設定操作が可能な操作手段とを備えたことにより、デカルの視認が容易で操作性（作業性）に優れた情報処理装置を提供することが可能になる。
【発明を実施するための最良の形態】
【０００６】
以下、図面を参照して、本発明の実施形態を詳細に説明する。
図１は本発明の実施形態に係る情報処理装置のブロック図、図２は操作部のレイアウト図、図３はデカルの一例を示す図である。
本実施の形態に係る情報処理装置は、メイン制御部１、図２に示すようなレイアウトの操作部２、プリンタ３、図３に示すようなデカル４を備えている。操作部２は、デカル点灯モードである“デカル類スポットライトモード”を任意に設定したりキー入力したりできる。プリンタ３は、画像データを用紙に転写して出力する。デカル４には、操作者が任意に選択できる接触センサ（接触検知手段）と、ＬＥＤやバックライトなどの点灯手段が内蔵されている。
メイン制御部１は、ＣＰＵ１１、ＲＯＭ１２、ＲＡＭ１３、プロセス制御部１４、インターフェイス部１５から構成されており、これらＣＰＵ１１とＲＯＭ１２とＲＡＭ１３とプロセス制御部１４とインターフェイス部１５は相互に接続されている。
ＣＰＵ１１は、格納プログラムに基づいて所定の情報処理制御動作を実行する。ＲＯＭ１２は、各種の制御処理を実行するためのプログラム、あらかじめ登録された装置の各種デカルの位置及び不要な露光を防止したい箇所に基づき不要な光を遮蔽するシャッター動作プログラムなどが格納されている。ＲＡＭ１３は、ＣＰＵ１１によって処理された結果やデータを一時的に記録する。
プロセス制御部１４は、各種画像のプロセスを処理する。インターフェイス部１５は、例えば、ゲートアレイなどで形成されており、操作部２、プリンタ３、デカル４などが接続されている。そしてインターフェイス部１５は、操作部２、プリンタ３、デカル４と、メイン制御部１内部のＣＰＵ１１、ＲＯＭ１２、ＲＡＭ１３、プロセス制御部１４との間のインターフェイスを司るようになっている。
以上のように構成されたメイン制御部１において、予め、操作部２より入力された“デカル類スポットライトモード”の設定解除を認知し、選択された任意のデカル４を点灯し必要に応じて遮光シャッター動作が働いて自然に操作できるようにする。
【０００７】
図４は本実施の形態に係る情報処理装置における動作フローチャートである。この制御はＲＯＭ１２に格納されているプログラムに基づいて、ＣＰＵ１１で実行されるものである。
図４のフローチャートにおいて、まず、操作部２にて、“デカル類スポットライトモード”が設定されているか否かを判断する（Ｓ１）。“デカル類スポットライトモード”が解除されていると再び、“デカル類コピーモード”が設定されているか否かを繰り返し判断する。
“デカル類スポットライトモード”が設定されていると、操作者が手で触ることで、デカル４が選択されたかどうか判断され（Ｓ２）、選択されていると、次に操作者が選択した任意のデカルを点灯する（Ｓ３）。対象となったデカルが点灯すると、その点灯が不要な露光になるか否かの観点から不要な光を遮蔽する必要があるか否か判断する（Ｓ４）。
遮蔽が必要であると判断すると、不要な光を遮蔽するシャッター動作プログラムにより、シャッター遮蔽動作が働き、不要な露光を防止する（Ｓ５）。ステップ４で、遮蔽が不要であると、点灯が一定時間を経過したか、あるいはジャム処理などが終了したかの判断で、点灯が不要となる条件であるか否か判断する（Ｓ６）。依然必要であれば不要となる条件であるか否かを繰返し判断する。不要であればデカル４を消灯し、シャッター遮蔽動作を解除して（Ｓ８）終了する。
【図面の簡単な説明】
【０００８】
【図１】本発明の実施形態に係る情報処理装置のブロック図である。
【図２】操作部のレイアウト図である。
【図３】デカルの一例を示す図である。
【図４】本発明の情報処理装置における動作フローチャートである。
【符号の説明】
【０００９】
１  メイン制御部、１１  ＣＰＵ、１２  ＲＯＭ(記憶手段)、１３  ＲＡＭ、１４  プロセス制御部、１５  インターフェイス部、２  操作部(操作手段)、３  プリンタ、４  接触センサ内蔵デカル
【図１】
2006039064.tif 000003
【図２】
2006039064.tif 000004
【図３】
2006039064.tif 000005
【図４】
2006039064.tif 000006